(57)【要約】【課題】  作業者の汗と反応する寒剤を設けることにより、−１〜−４０℃位まで冷却可能であり、各構成成分により到達可能温度を変えることができ、目的及び使用場所によって選定すればよい。  また、吸収材や高分子ポリマーを使用することにより、使用感や冷却時間をコントロールすることができる冷却肌着を提供する【解決手段】  汗と反応する寒剤を設けてなることを特徴とする。【選択図】  図１
2005281950.tif 000002
【特許請求の範囲】
【請求項１】
汗と反応する寒剤を設けてなることを特徴とする冷却肌着。
【請求項２】
表面材と表面材の間に、寒剤を設けてなることを特徴とする請求項１記載の冷却肌着。
【請求項３】
表面材と表面材の間に、吸収材と寒剤を設けてなることを特徴とする請求項１記載の冷却肌着。
【請求項４】
表面材と表面材の間に、高分子ポリマー内に寒剤を設けてなる水保持寒剤を設けてなることを特徴とする請求項１記載の冷却肌着。
【請求項５】
表面材と表面材の間に、吸収材と水保持寒剤を設けてなることを特徴とする請求項１記載の冷却肌着。
【請求項６】
表面材と表面材の間に、吸収材内に寒剤を設けた吸収寒剤と高分子ポリマーを設けてなることを特徴とする請求項１記載の冷却肌着。
【請求項７】
寒剤の構成成分が、塩化アンモニウム、亜硝酸ナトリウム、チオシアン酸アンモニウム、酢酸ナトリウム、塩化ナトリウム、硝酸アンモニウム、硝酸カリウム、臭化ナトリウム、塩化カリウム、塩化マグネシウム、硫酸（６６％）、塩化カルシウム・六水和物の内の１つあるいは２つ以上の組み合せであることを特徴とする請求項１、２、３、４、５又は６記載の冷却肌着。
【請求項８】
表面材が、ポリプロピレン不織布、ポリオレフィン、ポリエステル不織布、コットン等の１つあるいは２つ以上の組み合せであることを特徴とする請求項２、３、４、５、６又は７記載の冷却肌着。
【請求項９】
吸収材が、吸水紙・綿状パルプであることを特徴とする請求項２、３、４、５、６又は７記載の冷却肌着。
【発明の詳細な説明】
【技術分野】
【０００１】  本発明は、例えばゴミ焼却施設の炉内等において掃除等を行う場合において、熱中症予防と作業効率の改善を図る冷却肌着に関するものである。
【背景技術】
【０００２】  従来の技術として、例えば、着衣者から熱を奪って外部に放熱する冷却機能を有する冷却服において、潜熱として熱を輸送する作動流体を封入したループ型ヒートパイプが衣服部の布面に沿って取り付けられるとともに、前記作動流体を強制循環させるポンプが前記ループ型ヒートパイプに介在させられ、さらに一部を前記ループ型ヒートパイプに熱交換可能に接続した複数のヒートパイプが前記ループ型ヒートパイプから衣服部の各部に延びて前記布面に取り付けられていることを特徴とする冷却服が開示されている。（特許文献１参照）
【特許文献１】  特開平６−１２７４８６号公報
【発明の開示】
【発明が解決しようとする課題】
【０００３】  上記の従来技術においては、ループ型ヒートパイプやポンプ及び冷却器を設けてなるもので、構造的に複雑であり、冷却器に相当な冷却能力がないと、体全体（部分的にも）を冷却することは困難である。
また、パイプが体に凸状に接触するため、違和感があり使用者（作業者）に不評であるのが現状である。【０００４】  本発明は、このような従来の構成が有していた問題を解決しようとするものであり、その目的は、作業者の汗と反応する寒剤を設けることにより、−１〜−４０℃位まで冷却可能であり、各構成成分により到達可能温度を変えることができ、目的及び使用場所によって選定すればよい。
また、吸収材や高分子ポリマーを使用することにより、使用感や冷却時間をコントロールすることができる冷却肌着を提供するものである。
【課題を解決するための手段】
【０００５】  そして、本発明は上記の目的を達成するために、汗と反応する寒剤を設けてなること。表面材と表面材の間に、寒剤を設けてなること。表面材と表面材の間に、吸収材と寒剤を設けてなること。表面材と表面材の間に、高分子ポリマー内に寒剤を設けてなる水保持寒剤を設けてなること。表面材と表面材の間に、吸収材と水保持寒剤を設けてなること。表面材と表面材の間に、吸収材内に寒剤を設けた吸収寒剤と高分子ポリマーを設けてなること。また、寒剤の構成成分が、塩化アンモニウム、亜硝酸ナトリウム、チオシアン酸アンモニウム、酢酸ナトリウム、塩化ナトリウム、硝酸アンモニウム、硝酸カリウム、臭化ナトリウム、塩化カリウム、塩化マグネシウム、硫酸（６６％）、塩化カルシウム・六水和物の内の１つあるいは２つ以上の組み合せであること。さらに、表面材が、ポリプロピレン不織布、ポリオレフィン、ポリエステル不織布、コットン等の１つあるいは２つ以上の組み合せであること。その上、吸収材が、吸水紙・綿状パルプであることを特徴とする。
【発明の効果】
【０００６】１）、汗（水分）と反応する寒剤を設けることにより、従来品のように複雑なメカ（構造）は必要なく、部分的に、あるいは体全体を冷却することができる。
２）、表面材と表面材の間に寒剤を設けることにより、カブレやすい皮膚との摩擦を最小限に抑え冷却温度を体にダイレクトに伝達することができる。
３）、吸収材と寒剤を設けることにより、ワンクッション置いて冷却温度を体に伝えることができ、水分を逆戻りしにくくしてある。
４）、水保持寒剤を使用することにより、急激に冷却するのではなく、徐々に冷却する使用に向いており、高分子ポリマーにて水分を吸収し、逆戻りしない。
なお、急激に、かつ長時間使用する場合は、水に直接浸して使用することにより高分子ポリマーを膨張させることができ、外部の高温に対する断熱効果も合せて有する。
５）、吸収材と水保持寒剤を設けることにより、ワンクッション置いて長時間体を冷却することができ、所要の温度に調整しやすくしてなる。
６）、吸収寒剤と高分子ポリマーを設けることにより、特に中心部に設けた高分子ポリマーが冷却された水分（汗）を吸って保持し、逆戻りしないと共に、より長時間冷却温度を保持できる。
７）、各種寒剤により、目的に応じて選定・使用できる。
８）、各種の表面材及び吸収材を組み合せることができ、目的に応じて選定・使用できる。
【発明を実施するための最良の形態】
【実施例】
【０００７】  １は、全体的に縫製してなる冷却上肌着で、ポリプロピレン不織布、ポリオレフィン、ポリエステル不織布、コットン等からなる体側の表面材２と作業服側の表面材３との間に塩化アンモニウム、亜硝酸ナトリウム、チオシアン酸アンモニウム、酢酸ナトリウム、塩化ナトリウム、硝酸アンモニウム、硝酸カリウム、臭化ナトリウム、塩化カリウム、塩化マグネシウム、硫酸（６６％）、塩化カルシウム・六水和物の内の１つあるいは２つ以上を組み合せた寒剤４を設けてなるものである。【０００８】  ２１は、上記と同様な表面材２２・２３と寒剤２４に加えて、表面材２２と寒剤２４との間に吸収材（吸収紙や綿状パルプ等）５を設けてなる冷却上肌着である。【０００９】  ３１は、上記と同様な表面材３２・３３との間に、高分子ポリマー６内に上記と同様な寒剤３４を混入あるいはサンドイッチ状にしてなる水保持寒剤７を設けてなる冷却上肌着である。【００１０】  ４１は、上記と同様な表面材４２・４３と水保持寒剤４７に加え、表面材４２と水保持寒剤４７の間に、上記と同様な吸収材４５を設けてなる冷却上肌着である。【００１１】  ５１は、上記と同様な表面材５２・５３の間に、吸収材５５と寒剤５４を混合（混入）してなる吸収寒剤８と、中心部に高分子ポリマー５６を設けてなる冷却上肌着である。【００１２】  １０Ａ・１０Ｂ・１０Ｃ・１０Ｄ・１０Ｅは、上記冷却上肌着１・２１・３１・４１・５１の構成と各々同様な、冷却下肌着である。【００１３】  上記、冷却上肌着１・２１・３１・４１・５１及び冷却下肌着１０Ａ・１０Ｂ・１０Ｃ・１０Ｄ・１０Ｅの使用状態について下記に述べる。
例えば、ゴミ焼却施設の炉内等における高温雰囲気内で、清掃作業を行う場合において、まず、作業者Ｓが、冷却上肌着１・２１・３１・４１・５１及び冷却下肌着１０Ａ・１０Ｂ・１０Ｃ・１０Ｄ・１０Ｅのどれかを１つ選定して着用する。（個人差があるため）
その後、作業上着ＳＵ及び作業ズボンＳＢを着用する。
この状態で作業を行うのであるが、各々の冷却上肌着、冷却下肌着について説明する。【００１４】  冷却上肌着１及び冷却下肌着１０Ａの場合、作業時における作業者Ｓの汗（水分）が、表面材２を通って内部の寒剤４と反応することにより冷却され、体全体を冷すことができるものである。【００１５】  冷却上肌着２１及び冷却下肌着１０Ｂの場合、汗（水分）が、表面材２２及び吸収材５を通って寒剤２４と反応するもので、水分が逆戻りしにくくなっている。【００１６】  冷却上肌着３１及び冷却下肌着１０Ｃの場合、汗（水分）が、表面材３２を通って高分子ポリマー６に吸収されると共に、徐々に寒剤３４と反応するもので、長時間使用する作業に向いている。
なお、必要に応じて水に浸けて急冷して使用することもできる。【００１７】  冷却上肌着４１及び冷却下肌着１０Ｄの場合、吸収材４５により、より逆戻りせず、長時間使用できるものである。【００１８】  冷却上肌着５１及び冷却下肌着１０Ｅの場合、吸収寒剤８と中心部の高分子ポリマー５６の組み合せにより、長時間冷却温度を保持できるものである。【００１９】  なお、寒剤として塩化アンモニウムは到達可能温度を−２℃とし、亜硝酸ナトリウムは到達可能温度を−１２℃とし、チオシアン酸アンモニウムは到達可能温度を−１５℃とし、酢酸ナトリウムは到達可能温度を−１５℃とし、塩化ナトリウムは到達可能温度を−２１℃とし、硝酸アンモニウムは到達可能温度を−２５℃とし、硝酸カリウムは到達可能温度を−２５℃とし、臭化ナトリウムは到達可能温度を−２８℃とし、塩化カリウムは到達可能温度を−３０℃とし、塩化マグネシウムは到達可能温度を−３３℃とし、硫酸（６６％）は到達可能温度を−３７℃とし、塩化カルシウム・六水和物は到達可能温度を−４０℃とする。
また、必要に応じて作業服側に防水材を設けるのも一考である。
さらに、肌着全体に寒剤を設けてもよく、汗をかきやすい部分のみ設けてもよい。
【図面の簡単な説明】
【００２０】
【図１】  本発明の一実施例を示す上肌着の正面図。
【図２】  本発明の第１実施例を示す上肌着の要部断面図。
【図３】  本発明の第２実施例を示す上肌着の要部断面図。
【図４】  本発明の第３実施例を示す上肌着の要部断面図。
【図５】  本発明の第４実施例を示す上肌着の要部断面図。
【図６】  本発明の第５実施例を示す上肌着の要部断面図。
【図７】  本発明の一実施例を示す下肌着の正面図。
【図８】  本発明の冷却肌着の使用状態を示す正面図。
【符号の説明】
【００２１】１−−−冷却上肌着
２−−−表面材
３−−−表面材
４−−−寒剤
５−−−吸収材
６−−−高分子ポリマー
７−−−水保持寒剤
８−−−吸収寒剤
【図１】
2005281950.tif 000003
【図２】
2005281950.tif 000004
【図３】
2005281950.tif 000005
【図４】
2005281950.tif 000006
【図５】
2005281950.tif 000007
【図６】
2005281950.tif 000008
【図７】
2005281950.tif 000009
【図８】
2005281950.tif 000010